(57)【要約】【課題】  ウエストベルトを強く締めても腸骨稜が圧迫されず、また、ウエストベルトが腰部に密着しても腰部の蒸れを軽減するリュックサックのウエストベルトを安価に提供すること。【解決手段】  リュックサック本体１の底部に取り付けられたウエストベルト３において、少なくとも背負う者の骨盤の腸骨稜７が接する部分に弾性体シート４を有し、弾性体シート４に腸骨稜７が嵌入する凹部４１を形成し、該凹部４１に通気孔４２を形成する。【選択図】  図２
2006006699.tif 000002
【特許請求の範囲】
【請求項１】
リュックサック本体の底部に取り付けられたウエストベルトにおいて、少なくとも背負う者の骨盤の腸骨稜が接する部分に弾性体シートを有し、弾性体シートに腸骨稜が嵌入する凹部を形成したことを特徴とするリュックサックのウエストベルト。
【請求項２】
ウエストベルトの前記凹部に通気孔を形成したことを特徴とする請求項１記載のリュックサックのウエストベルト。
【請求項３】
前記弾性体シートの上下方向に複数の切り欠き溝を形成したことを特徴とする請求項１又は請求項２に記載のリュックサックのウエストベルト。
【発明の詳細な説明】
【技術分野】
【０００１】
本発明は、腰部に巻着するリュックサックのウエストベルトに関するものである。
【背景技術】
【０００２】
従来より、比較的容量の大きいリュックサックには歩行時の安定のため、ウエストベルトが取り付けられていた。
【０００３】
該ウエストベルトは、腰周りの長さのベルトの中央部をリュックサック本体に面ファスナーで取り付けたり、リュックサック本体の底部左右に一端を縫着し、他端にバックルや面ファスナー等の結合部材を取り付けた２本のベルトを腰周りに密着するように締めて結合するようにしている。
【０００４】
そこで、腰周りの密着性を向上させるとともにフィット感を向上させるため、布地の中に腰周りの曲線に合わせて成形した弾性体シートを入れたウエストベルトが公知である。また、登録実用新案公報第３０４６７０２号には背負う人の背中の長さに合わせてウエストベルトのみ上下方向に高さ調整できるものが開示されている。
【特許文献１】登録実用新案公報第３０４６７０２号
【発明の開示】
【発明が解決しようとする課題】
【０００５】
ところが、前記布地の中に腰周りの曲線に合わせて成形した弾性体シートを入れたウエストベルトは、弾性体シートの内周面が平坦なため歩行中にズレてきたり、ズレにくくするために強く締めると腸骨稜が圧迫されて不快感を伴うものであった。また、前記ウエストベルトを上下方向に高さ調整できるものは、ウエストベルトとザック本体との接続部が複雑となり、コストも高くなる。
【０００６】
そこで、ウエストベルトを強く締めても腸骨稜が圧迫されず、また、ウエストベルトが腰部に密着しても腰部の蒸れを軽減するリュックサックのウエストベルトを安価に提供することを課題とする。
【課題を解決するための手段】
【０００７】
前記課題を解決するため、請求項１に記載の発明は、リュックサック本体の底部に取り付けられたウエストベルトにおいて、少なくとも背負う者の骨盤の腸骨稜が接する部分に弾性体シートを有し、弾性体シートに腸骨稜が嵌入する凹部を形成したことを特徴とするものである。このように形成することで、歩行中にズレてくることがなく、ウエストベルトを強く締めても腸骨稜が圧迫されることがなくなる。
【０００８】
また、請求項２に記載の発明は、請求項１に記載のウエストベルトにおいて、ウエストベルトの前記凹部に通気孔を形成したことを特徴とするものである。このように形成することで、ウエストベルトが腰部に密着しても腰部の蒸れを軽減することができる。
【０００９】
さらに、請求項３に記載の発明は、請求項１又は請求項２に記載のウエストベルトにおいて、前記弾性体シートの上下方向に複数の切り欠き溝を形成したことを特徴とするものである。このように形成することで、腰周りの曲線に合わせて成形した弾性体シートよりも安価に腰周りの曲線に合わせて屈曲するウエストベルトにすることができる。
【発明の効果】
【００１０】
請求項１に記載の発明の実施によって、歩行中にウエストベルトがズレてくることがなく、ウエストベルトを強く締めても腸骨稜が圧迫されることがなくなる。また、ウエストベルトを適正な位置に迅速に装着することができる。
【００１１】
請求項２に記載の発明の実施によって、前記請求項１に記載の発明の実施による効果に加えて、ウエストベルトが腰部に密着することによる腰部の蒸れや不快感を軽減することができる。
【００１２】
請求項３に記載の発明の実施によって、前記請求項１又は請求項２に記載の発明の実施による効果に加えて、安価に腰周りの曲線に合わせて屈曲するウエストベルトを製造することができる。
【発明を実施するための最良の形態】
【００１３】
一般に容量の大きいリュックサックには、リュックサック本体の底部左右に一端を縫着し、他端にバックルや面ファスナー等の結合部材を取り付けて、２本のベルトを腰周りに密着するように締めて結合するウエストベルトが設けられている。
【００１４】
ウエストベルトは、１本のテープ状のもの、弾性体シート等を積層して形成したもの、テープ状ベルトと弾性体シート等を積層して形成したベルトを組み合わせたもの等、各種の形態がある。１本のテープ状のウエストベルトは、比較的軽い荷重を背負うリュックサックに取り付けられている。弾性体シート等を積層して形成したウエストベルトは、比較的重い荷重を背負うリュックサックに取り付けられている。
【００１５】
本願発明のウエストベルトは、登山用リュックサックのように容量が大きく重い荷重を背負うリュックサックに適するもので、少なくとも背負う者の骨盤の腸骨稜が接する部分に弾性体シートを有し、弾性体シートに腸骨稜が嵌入する凹部を形成したことを特徴とするものである。
【００１６】
弾性体シートは単体で形成しても良いが、複数積層して形成しても良く、周囲を天然繊維または合成繊維の生地で被覆する。
【００１７】
弾性体シートに形成する凹部は、単体の弾性体シートでは成形時に形成し、凹部に通気孔を形成する場合も弾性体シートを成形する時に同時に形成される。弾性体シートを複数積層して形成する場合は、腸骨稜に接する側の層に腸骨稜に接する部位を楕円形、四角形等に開口し、腸骨稜に接する部位の開口に合わせて貫通孔を形成した下層の弾性体シートと合わせることで形成する。
【００１８】
前期凹部は、腸骨稜が接する部分を含めて腰周りに直線状に伸びる凹溝に形成することもできるが、腸骨稜が接する部分のみに形成するほうが着用時の位置決めがし易くなり、また、フィット感が向上し好ましい。
【００１９】
弾性体シートは、連泡発泡体を用いることで通気性を持たせることもできるが、前記凹部に貫通する通気孔を複数形成することで、腰部のムレ感を大きく軽減することができる。なお、通気孔を凹部以外にも形成すれば更にムレ感を軽減することができる。
【００２０】
弾性体シートは、発泡合成ゴム、発泡ポリウレタン、発泡ポリエチレン等、弾力性と耐久性を有するものであれば良い。弾性体シートを被覆する生地は、腰部側の内側の生地と外側の生地を同じものとしても良いが、内側の生地を吸湿放湿性繊維生地ないしメッシュ生地とすることが望ましい。
【００２１】
弾性体シートを直線状に成形し、弾性体シートの内側または外側に上下方向の切り欠き溝を複数設けることで、腰周りの曲線に合わせて立体成形した弾性体シートよりも安価に腰周りの曲線に合わせて屈曲するウエストベルトにすることができる。なお、弾性体シートを被覆する内側の生地を外側の生地よりも短くし、両者を縫製すればウエストベルトを屈曲した形態にすることができる。
【００２２】
前記切り欠き溝は、Ｕ字状ないしＶ字状とし、Ｖ字状溝では亀裂予防のため底部にアールをもたせる。なお、切り欠き溝を弾性体シートの外側に設けた場合は、腰周りの曲線に合わせて屈曲した時に広がった切り欠き溝を埋めるように、弾性体シートと同素材のスペーサーを両面テープないし接着剤で取り付けたり、切り欠き溝を埋めるようにシリコン系樹脂やウレタン系樹脂などを充填することで、腰周りの曲線に合わせて立体成形した弾性体シートと同じ形態にすることができる。
【実施例１】
【００２３】
図１は本発明の一実施態様を示すリュックサックの斜視図である。図１に示すリュックサックは登山用のものであり、リュックサック本体１の上部から底部にかけて左右一対のショルダーベルト２が取り付けられている。ウエストベルト３はリュックサック本体１の左右の底部に基端を縫着し、腸骨稜７を包み込むように背負う者の前方に舌形状に伸びるサイドウイング３１と、サイドウイング３１の先端部に取り付けられた環３２を通して背負う者の前方で左右のウエストベルトを係止する長さ調節ベルト３３から成っている。
【００２４】
サイドウイング３１は図２（A）に示すように、発泡ポリウレタンで舌形状に成形した弾性体シート４を人体側の内側の生地５と外側の生地６ではさみ、弾性体シート４の外周部を縫製し形成する。弾性体シート４の人体側には図３に示すように、腸骨稜７が嵌入する略楕円形の凹部４１を形成し、該凹部４１の底面部に図２（B）に示すように、複数の通気孔４２を形成している。なお、内側の生地５は吸湿放湿性繊維生地を用いている。
【００２５】
前記左右の長さ調節ベルト３３を係止する係止具３４は、本実施例ではバックルを用いているが、面ファスナーを用いることもできる。
【実施例２】
【００２６】
図４は弾性体シート４の第２実施例を示すもので、弾性体シート４を腰周りの曲線に合わせて屈曲させた状態を示す説明図である。該弾性体シート４は、発泡ポリウレタンで舌形状に成形した外側に、底部にアールをもたせたＶ字状の溝８を上下方向に複数形成し、弾性体シート４を腰周りの曲線に合わせて屈曲させた状態で、該Ｖ字状の溝８が埋まるように成形した弾性体シート４と同素材のスペーサー９を両面テープで取り付けたものである。このような構造とすることで、弾性体シート４全体を腰周りの曲線に合わせて立体成形したものよりも安価に同じ形態とすることができる。
なお、その他の素材や構成は実施例１と同じである。
【産業上の利用可能性】
【００２７】
本発明のウエストベルトは、リュックサックに限らず背負い子等重いものを背負うものに利用可能である。
【図面の簡単な説明】
【００２８】
【図１】本発明の一実施態様を示すリュックサックの斜視図である。
【図２】（Ａ）本発明のウエストベルトの凹部および通気孔の説明図である。            （Ｂ）（Ａ）のＡ−Ａ断面図である。
【図３】ウエストベルトの凹部に腸骨稜が嵌入した状態を示す説明図である。
【図４】弾性体シートに切り欠き溝を設けた状態を示す説明図である。
【符号の説明】
【００２９】
１：本体
２：ショルダーベルト
３：ウエストベルト
３１：サイドウイング
３２：環
３３：長さ調節ベルト
３４：係止具
４：弾性体シート
４１：凹部
４２：通気孔
５：内側の生地
６：外側の生地
７：腸骨稜
８：溝
９：スペーサー
【図１】
2006006699.tif 000003
【図２】
2006006699.tif 000004
【図３】
2006006699.tif 000005
【図４】
2006006699.tif 000006